(57)【要約】【課題】その時々の髭等の導入率の向上を図り、剃り性能を向上させることができる電気かみそりを提供する。【解決手段】把持部１２の先端部に設けられ、電気かみそり１１の幅方向Ｙに往復直線運動可能に設けられた内刃２２ａ，２２ｂ及び該内刃２２ａ，２２ｂを覆うように設けられた網目状外刃２１ａ，２１ｂからなる網目状刃ブロック１４ａ，１４ｂを有するヘッド部１３と、内刃２２ａ，２２ｂを駆動させるための第１電磁アクチュエータ１５と、網目状外刃２１ａ，２１ｂを電気かみそり１１の幅方向Ｙに往復運動させるための第２電磁アクチュエータ１６とを備える。【選択図】図１
2010082204.tif 000002
【特許請求の範囲】
【請求項１】
把持部と、
前記把持部の先端部に設けられ、電気かみそりの幅方向に往復直線運動可能に設けられた内刃及び該内刃を覆うように設けられた網目状の外刃からなる刃ブロックを有するヘッド部と、
前記内刃を往復直線運動させるための内刃駆動手段と
を備えた電気かみそりにおいて、
前記ヘッド部の少なくとも前記外刃に対して、前記内刃の往復運動方向である前記幅方向（Ｙ方向）への往復運動、その直交方向である前記電気かみそりの前後方向（Ｘ方向）への往復運動、前記幅方向に沿った軸（Ｙ軸）を中心とした旋回運動、前記前後方向に沿った軸（Ｘ軸）を中心とした旋回運動、及び前記電気かみそりの上下方向に沿った軸（Ｚ軸）を中心とした旋回運動、のうちの少なくとも１つの運動をさせる第２駆動手段を備えたことを特徴とする電気かみそり。
【請求項２】
請求項１に記載の電気かみそりにおいて、
前記ヘッド部は、前記刃ブロックを複数備えたことを特徴とする電気かみそり。
【請求項３】
請求項２に記載の電気かみそりにおいて、
前記刃ブロックは、前記前後方向（Ｘ方向）に並設され、
前記第２駆動手段は、前記刃ブロックの外刃のうちの少なくとも２つを、前記幅方向（Ｙ方向）に互いに逆位相で往復運動させるように構成されたことを特徴とする電気かみそり。
【請求項４】
請求項２に記載の電気かみそりにおいて、
前記刃ブロックは、前記前後方向（Ｘ方向）に並設され、
前記第２駆動手段は、前記刃ブロックの外刃のうちの少なくとも２つを、互いに逆位相で前記前後方向に沿った軸（Ｘ軸）を中心とした往復回動をさせるように構成されたことを特徴とする電気かみそり。
【請求項５】
請求項２に記載の電気かみそりにおいて、
前記刃ブロックは、前記前後方向（Ｘ方向）に並設され、
前記第２駆動手段は、前記刃ブロックの外刃のうちの少なくとも２つを、前記前後方向（Ｘ方向）に互いに逆位相で往復運動させるように構成されたことを特徴とする電気かみそり。
【請求項６】
請求項２に記載の電気かみそりにおいて、
前記刃ブロックは、前記前後方向（Ｘ方向）に並設され、
前記第２駆動手段は、前記刃ブロックの外刃のうちの少なくとも２つを、互いに逆位相で前記幅方向に沿った軸（Ｙ軸）を中心とした往復回動をさせるように構成されたことを特徴とする電気かみそり。
【請求項７】
請求項２に記載の電気かみそりにおいて、
前記刃ブロックは、前記前後方向（Ｘ方向）に並設され、
前記第２駆動手段は、前記刃ブロックの外刃のうちの少なくとも２つを、互いに同位相で前記上下方向に沿った軸（Ｚ軸）を中心とした往復回動をさせるように構成されたことを特徴とする電気かみそり。
【請求項８】
請求項２に記載の電気かみそりにおいて、
前記刃ブロックは、前記前後方向（Ｘ方向）に並設され、
前記第２駆動手段は、前記刃ブロックの外刃のうちの少なくとも２つを、互いに逆位相で前記上下方向に沿った軸（Ｚ軸）を中心とした往復回動をさせるように構成されたことを特徴とする電気かみそり。
【発明の詳細な説明】
【技術分野】
【０００１】
本発明は、例えば髭用の電気かみそりに関するものである。
【背景技術】
【０００２】
従来、電気かみそりは、往復運動可能に設けられた内刃と該内刃を覆うように設けられた網目状の外刃とから構成された刃ブロックを備えており、外刃の網目から導入された髭等がその外刃と往復運動する内刃とで剃られる（挟んで切断される）ようになっている（例えば特許文献１）。
【特許文献１】特開平７−２６５５６０号公報
【発明の開示】
【発明が解決しようとする課題】
【０００３】
ところで、髭等の生え方向は一方向に揃っておらず、顎髭等は特に様々な方向を向いて生えており、また、髭等の起毛角（皮膚と髭等との角度）も様々である。そのため、使用者は、上記のような電気かみそりの剃り方向（電気かみそりを肌上で移動させる方向）を様々変化させる等して外刃の網目内に髭を導入させる必要があり、その電気かみそりの剃り方向を何度も変更して剃り直す行為等が煩わしかった。
【０００４】
本発明は、上記課題を解決するためになされたものであって、その目的は、その時々の髭等の導入率の向上を図り、剃り性能を向上させることができる電気かみそりを提供することにある。
【課題を解決するための手段】
【０００５】
上記課題を解決するために、請求項１に記載の発明は、把持部と、前記把持部の先端部に設けられ、電気かみそりの幅方向に往復直線運動可能に設けられた内刃及び該内刃を覆うように設けられた網目状の外刃からなる刃ブロックを有するヘッド部と、前記内刃を往復直線運動させるための内刃駆動手段とを備えた電気かみそりにおいて、前記ヘッド部の少なくとも前記外刃に対して、前記内刃の往復運動方向である前記幅方向（Ｙ方向）への往復運動、その直交方向である前記電気かみそりの前後方向（Ｘ方向）への往復運動、前記幅方向に沿った軸（Ｙ軸）を中心とした旋回運動、前記前後方向に沿った軸（Ｘ軸）を中心とした旋回運動、及び前記電気かみそりの上下方向に沿った軸（Ｚ軸）を中心とした旋回運動、のうちの少なくとも１つの運動をさせる第２駆動手段を備えたことをその要旨とする。
【０００６】
この発明では、第２駆動手段がヘッド部の少なくとも外刃に対して、幅方向（Ｙ方向）への往復運動、電気かみそりの前後方向（Ｘ方向）への往復運動、幅方向に沿った軸（Ｙ軸）を中心とした旋回運動、前後方向に沿った軸（Ｘ軸）を中心とした旋回運動、及び電気かみそりの上下方向に沿った軸（Ｚ軸）を中心とした旋回運動、のうちの少なくとも１つの運動をさせるように構成されるため、様々な方向を向いて生える髭等や、様々な起毛角（皮膚と髭等との角度）で生える髭等の導入率の向上を図り、剃り性能を向上させることができる。
【０００７】
請求項２に記載の発明は、請求項１に記載の電気かみそりにおいて、前記ヘッド部は、前記刃ブロックを複数備えたことをその要旨とする。
この発明では、複数の刃ブロックの外刃に対してそれぞれ異なる動きをさせることで、様々な駆動のバリエーションを実現可能となる。
【０００８】
請求項３に記載の発明は、請求項２に記載の電気かみそりにおいて、前記刃ブロックは、前記前後方向（Ｘ方向）に並設され、前記第２駆動手段は、前記刃ブロックの外刃のうちの少なくとも２つを、前記幅方向（Ｙ方向）に互いに逆位相で往復運動させるように構成されたことをその要旨とする。
【０００９】
この発明では、幅方向（Ｙ方向）に互いに逆位相で往復運動する２つの外刃の間に位置する皮膚に捻りを加え、その皮膚に生える髭等の生え方向を変化させることができる。これにより、その時々の髭等の導入率をより向上させることができる。
【００１０】
請求項４に記載の発明は、請求項２に記載の電気かみそりにおいて、前記刃ブロックは、前記前後方向（Ｘ方向）に並設され、前記第２駆動手段は、前記刃ブロックの外刃のうちの少なくとも２つを、互いに逆位相で前記前後方向に沿った軸（Ｘ軸）を中心とした往復回動をさせるように構成されたことをその要旨とする。
【００１１】
この発明では、互いに逆位相で前後方向に沿った軸（Ｘ軸）を中心とした往復回動をする２つの外刃の間に位置する皮膚に捻りを加え、その皮膚に生える髭等の生え方向を変化させることができる。これにより、その時々の髭等の導入率をより向上させることができる。
【００１２】
請求項５に記載の発明は、請求項２に記載の電気かみそりにおいて、請求項２に記載の電気かみそりにおいて、前記刃ブロックは、前記前後方向（Ｘ方向）に並設され、前記第２駆動手段は、前記刃ブロックの外刃のうちの少なくとも２つを、前記前後方向（Ｘ方向）に互いに逆位相で往復運動させるように構成されたことをその要旨とする。
【００１３】
この発明では、前後方向（Ｘ方向）に互いに逆位相で往復運動する２つの外刃が、皮膚との摩擦力により前後方向（Ｘ方向）に皮膚を引き延ばしたり縮めたりして髭等の起毛角（皮膚と髭等との角度）を積極的に変化させることができ、その結果、髭等のその時々の導入率をより向上させることができる。
【００１４】
請求項６に記載の発明は、請求項２に記載の電気かみそりにおいて、前記刃ブロックは、前記前後方向（Ｘ方向）に並設され、前記第２駆動手段は、前記刃ブロックの外刃のうちの少なくとも２つを、互いに逆位相で前記幅方向に沿った軸（Ｙ軸）を中心とした往復回動をさせるように構成されたことをその要旨とする。
【００１５】
この発明では、互いに逆位相で幅方向に沿った軸（Ｙ軸）を中心とした往復回動をする２つの外刃が、皮膚との摩擦力により前後方向（Ｘ方向）に皮膚を引き延ばしたり縮めたりして髭等の起毛角（皮膚と髭等との角度）を積極的に変化させることができ、その結果、髭等のその時々の導入率をより向上させることができる。
【００１６】
請求項７に記載の発明は、請求項２に記載の電気かみそりにおいて、前記刃ブロックは、前記前後方向（Ｘ方向）に並設され、前記第２駆動手段は、前記刃ブロックの外刃のうちの少なくとも２つを、互いに同位相で前記上下方向に沿った軸（Ｚ軸）を中心とした往復回動をさせるように構成されたことをその要旨とする。
【００１７】
この発明では、互いに同位相で上下方向に沿った軸（Ｚ軸）を中心とした往復回動をする２つの外刃の間に位置する皮膚に捻りを加え、その皮膚に生える髭等の生え方向を変化させることができる。これにより、その時々の髭等の導入率をより向上させることができる。
【００１８】
請求項８に記載の発明は、請求項２に記載の電気かみそりにおいて、前記刃ブロックは、前記前後方向（Ｘ方向）に並設され、前記第２駆動手段は、前記刃ブロックの外刃のうちの少なくとも２つを、互いに逆位相で前記上下方向に沿った軸（Ｚ軸）を中心とした往復回動をさせるように構成されたことをその要旨とする。
【００１９】
この発明では、互いに逆位相で上下方向に沿った軸（Ｚ軸）を中心とした往復回動をする２つの外刃が、皮膚との摩擦力により皮膚を引き延ばしたり縮めたりして髭等の起毛角（皮膚と髭等との角度）を積極的に変化させることができ、その結果、髭等のその時々の導入率をより向上させることができる。
【発明の効果】
【００２０】
従って、上記記載の発明によれば、その時々の髭等の導入率の向上を図り、剃り性能を向上させることができる。
【発明を実施するための最良の形態】
【００２１】
以下、本発明を具体化した一実施形態を図面に従って説明する。
図１に示すように、本実施形態の電気かみそり１１は、使用者が把持可能な把持部１２と、該把持部１２の上部において例えば２自由度で傾動可能に連結されたヘッド部１３とを有し、そのヘッド部１３には複数の刃ブロック１４ａ〜１４ｃを備えてなる。詳しくは、ヘッド部１３の上部には、網目状外刃２１ａ，２１ｂとそれに対応する内刃２２ａ，２２ｂとで構成される一対の網目状刃ブロック１４ａ，１４ｂ間に、スリット状外刃２１ｃとそれに対応する内刃（図示略）とで構成されるスリット状刃ブロック１４ｃが配置され、これら３つの刃ブロック１４ａ〜１４ｃがヘッド部１３の上部における短手方向（電気かみそり１１の前後方向Ｘ）に並設される所謂３枚刃の電気かみそり１１として構成されている。尚、電気かみそり１１の前後方向Ｘ、幅方向Ｙ、及び上下方向Ｚ（外刃の頂面に対する垂直方向）は、それぞれ互いに直交する方向である。
【００２２】
ヘッド部１３の内部には、各網目状刃ブロック１４ａ，１４ｂの内刃２２ａ，２２ｂ及びスリット状刃ブロック１４ｃの内刃を駆動するための第１電磁アクチュエータ１５（内刃駆動手段）と、各網目状刃ブロック１４ａ，１４ｂの後述する外刃カセット２０ａ，２０ｂを長手方向（電気かみそり１１の幅方向Ｙ）に往復運動させるための第２電磁アクチュエータ１６（第２駆動手段）が設けられている。また、把持部１２には、その外側面に操作スイッチ１７が備えられるとともに、内部にバッテリ及び駆動回路（ともに図示略）等が備えられており、ヘッド部１３の第１電磁アクチュエータ１５及び第２電磁アクチュエータ１６には、把持部１２の操作スイッチ１７のオン操作に基づいて駆動回路から駆動電流（交番電流）がそれぞれ供給されるように電気的に構成されている。
【００２３】
各網目状刃ブロック１４ａ，１４ｂは、ハウジング２３ａ，２３ｂと、その各ハウジング２３ａ，２３ｂの上部に固定された網目状外刃２１ａ，２１ｂとから構成された外刃カセット２０ａ，２０ｂを備え、その外刃カセット２０ａ，２０ｂは、ヘッド部１３のベース部１３ａに幅方向Ｙに移動可能に支持されている。そして、各網目状刃ブロック１４ａ，１４ｂの外刃カセット２０ａ，２０ｂは、第２電磁アクチュエータ１６の駆動により互いに逆位相で往復直線運動（即ち、幅方向Ｙにおいて互いに逆の方向に往復直線運動）されるようになっている（図２参照）。尚、スリット状刃ブロック１４ｃの外刃２１ｃは、各網目状刃ブロック１４ａ，１４ｂの外刃カセット２０ａ，２０ｂ間に移動不能に配置されている。また、図２では、説明の便宜のため、スリット状刃ブロック１４ｃの図示を省略している。
【００２４】
網目状外刃２１ａ，２１ｂの内側には、その内側面に押圧するように内刃２２ａ，２２ｂがそれぞれ配置され、各内刃２２ａ，２２ｂは、ヘッド部１３の上部における幅方向Ｙに移動可能に配置されている。各内刃２２ａ，２２ｂは、第１電磁アクチュエータ１５の駆動により外刃２１ａ，２１ｂ内で往復動されるようになっている。尚、スリット状刃ブロック１４ｃでは、図示略の内刃が例えば一方側の内刃２２ａの一方側と連動するように構成されている。そして、各網目状刃ブロック１４ａ，１４ｂの内刃２２ａ，２２ｂ及びスリット状刃ブロック１４ｃの内刃は、各外刃２１ａ〜２１ｃの網目から導入された髭等を該各外刃２１ａ〜２１ｃと協働して切断するようになっている。
【００２５】
このような電気かみそり１１で髭等を剃る際には、まず操作スイッチ１７をオンにして各刃ブロック１４ａ〜１４ｃの内刃及び各外刃カセット２０ａ，２０ｂを駆動させる。そして、各外刃２１ａ〜２１ｃの表面を髭等の生えている皮膚に軽く接触させ、電気かみそり１１を前後方向Ｘに移動させる。このとき、主に電気かみそり１１の進行方向に対向する方向に生えている髭等が、各外刃２１ａ〜２１ｃの網目に導入される。また、このとき、各外刃カセット２０ａ，２０ｂが幅方向Ｙに往復直線運動しているため、電気かみそり１１の進行方向（前後方向Ｘ）に対して横向きに生えている髭等が網目状外刃２１ａ，２１ｂの網目に導入しやすくなっている。
【００２６】
また更に、図２に示すように、各網目状外刃２１ａ，２１ｂと接触する皮膚がその網目状外刃２１ａ，２１ｂとの摩擦力にて該外刃２１ａ，２１ｂの運動方向（幅方向Ｙ）に引っ張られることで、各網目状外刃２１ａ，２１ｂの間に位置する皮膚が捻られる。これにより、その各網目状外刃２１ａ，２１ｂの間に位置する皮膚に生えている髭等が、各外刃カセット２０ａ，２０ｂの逆位相の往復運動に合わせて往復回動し、その髭等の生え方向が変化する。そして、その髭等の生え方向と前後方向Ｘとの角度が９０度より小さくなった状態では、その髭等が各外刃２１ａ〜２１ｃの網目に導入しやすくなり、その結果、電気かみそり１１の剃り効率が向上されている。
【００２７】
以上のように、本実施形態の電気かみそり１１では、各網目状刃ブロック１４ａ，１４ｂの外刃カセット２０ａ，２０ｂを幅方向Ｙに逆位相で往復運動させることで、その時々の髭等の導入率の向上が図られており、その結果、剃り性能を向上させることが可能となっている。
【００２８】
次に、本実施形態の特徴的な作用効果を記載する。
（１）本実施形態では、網目状外刃２１ａ，２１ｂをそれぞれ有する外刃カセット２０ａ，２０ｂが幅方向Ｙに往復運動されるため、電気かみそり１１の剃り方向（前後方向Ｘ）に対して例えば横向きに生えている髭等（即ち、幅方向Ｙに生えている髭等）の網目状外刃２１ａ，２１ｂへの導入率を向上させることができ、その結果、剃り性能を向上させることができる。
【００２９】
（２）本実施形態では、往復運動可能な外刃カセット２０ａ，２０ｂが複数（本実施形態では２つ）設けられるため、各外刃２１ａ，２１ｂに対してそれぞれ異なる動きをさせることで、様々な駆動のバリエーションを実現可能となる。
【００３０】
（３）本実施形態では、各外刃カセット２０ａ，２０ｂが幅方向Ｙに逆位相で往復直線運動されるため、各網目状外刃２１ａ，２１ｂの間に位置する皮膚に捻りを加えてその皮膚に生える髭等の生え方向を変化させることができる。これにより、その時々の髭等の導入率をより向上させることができる。
【００３１】
尚、本発明の実施形態は、以下のように変更してもよい。
・上記実施形態では、第２電磁アクチュエータ１６が、各外刃カセット２０ａ，２０ｂを電気かみそり１１の幅方向Ｙに往復運動させるように構成したが、これ以外に例えば、電気かみそり１１の前後方向Ｘに往復運動させるように構成してもよい。この場合、図３に示すように、各外刃カセット２０ａを前後方向Ｘに互いに逆位相で往復運動させるように構成すれば、各網目状外刃２１ａ，２１ｂが皮膚との摩擦力により前後方向Ｘに皮膚を引き延ばしたり縮めたりして髭等の起毛角（皮膚と髭等との角度）を積極的に変化させることができ（図４参照）、その結果、髭等のその時々の導入率をより向上させることができる。尚、この各外刃カセット２０ａ，２０ｂの前後方向Ｘへの往復運動と幅方向Ｙへの往復運動とを同時に実現させて、上下方向Ｚから見て八の字に運動させるように構成してもよい。
【００３２】
・上記実施形態では、第２電磁アクチュエータ１６が各外刃カセット２０ａ，２０ｂを互いに逆位相で往復運動させるように構成したが、これ以外に例えば、同位相で往復運動（即ち、常に同方向に往復運動）させるように構成してもよい。
【００３３】
・上記実施形態では、第２電磁アクチュエータ１６が各外刃カセット２０ａ，２０ｂのみを往復運動させるように構成したが、これ以外に例えば、ヘッド部１３全体を往復運動させるように構成してもよく、また、各網目状刃ブロック１４ａ，１４ｂ全体を往復運動させるように構成してもよい。
【００３４】
・上記実施形態では、３つの刃ブロック１４ａ〜１４ｃが前後方向Ｘに並設される所謂３枚刃の電気かみそり１１として構成されたが、特にこれに限定されるものではなく、例えば１つの刃ブロックのみで構成された１枚刃としてもよく、また、２つの刃ブロックで２枚刃としてもよく、また、刃ブロックを４つ以上並設した構成としてもよい。
【００３５】
・上記実施形態では、第２電磁アクチュエータ１６が２つの外刃カセット２０ａ，２０ｂを共に往復運動させるように構成したが、一方のみを往復運動させるように構成してもよい。即ち、複数の外刃カセットのうちの少なくとも１つを可動刃ブロックとして構成し、その他の刃ブロックを固定刃ブロックとして構成してもよい。
【００３６】
・上記実施形態では、第２電磁アクチュエータ１６が各外刃カセット２０ａ，２０ｂを往復直線運動させるように構成したが、特にこれに限定されるものではなく、各外刃カセット２０ａ，２０ｂ、又はヘッド部１３全体を前後方向Ｘに沿うＸ軸、幅方向Ｙに沿うＹ軸及び上下方向Ｚ（外刃の頂面に対する垂直方向）に沿うＺ軸の少なくとも１つを中心として旋回運動（０度〜３６０度の範囲での往復回動、及び一方方向への回転運動を含む）させるように構成してもよい。尚、上記したＸ軸、Ｙ軸及びＺ軸はそれぞれ、外刃カセット２０ａ，２０ｂ（又はヘッド部１３）の幅方向Ｙ中央、前後方向Ｘ中央、上下方向Ｚから見て各外刃カセット２０ａ，２０ｂ（又はヘッド部１３）の中心に設定するのが好ましい。このような構成としても、様々な方向を向いた髭等の導入率の向上を図り、剃り性能を向上させることができる。尚、図５には、第２電磁アクチュエータ（第２駆動手段）がヘッド部１３全体を、上下方向Ｚに沿う回動軸Ｌを中心として往復回動させる例を示している。
【００３７】
また、各外刃カセット２０ａ，２０ｂをＸ軸中心に逆位相で往復回動させる構成とすれば、上記実施形態と同様に、各網目状外刃２１ａ，２１ｂの間に位置する皮膚に捻りを加えてその皮膚に生える髭等の生え方向を変化させることができ、その結果、その時々の髭等の導入率をより向上させることができる。また、各外刃カセット２０ａ，２０ｂをＹ軸中心に逆位相で往復回動させる構成とすれば、図３及び図４に示すような構成と同様な作用効果を得ることができる。
【００３８】
また、図６には、第２電磁アクチュエータ（第２駆動手段）が、各外刃カセット２０ａ，２０ｂを互いに同位相で上下方向Ｚに沿う回動軸Ｌを中心とした往復回動をさせる構成を示している。このような構成によれば、各外刃カセット２０ａ，２０ｂの間に位置する皮膚に捻りを加え、その皮膚に生える髭等の生え方向を変化させることができる。これにより、その時々の髭等の導入率をより向上させることができる。
【００３９】
また、図７には、第２電磁アクチュエータ（第２駆動手段）が、各外刃カセット２０ａ，２０ｂを互いに逆位相で上下方向Ｚに沿う回動軸Ｌを中心とした往復回動をさせる構成を示している。このような構成によれば、各外刃カセット２０ａ，２０ｂが皮膚との摩擦力により皮膚を引き延ばしたり縮めたりして髭等の起毛角を積極的に変化させることができ、その結果、髭等のその時々の導入率をより向上させることができる。
【００４０】
尚、上記した各外刃カセット２０ａ，２０ｂ（又はヘッド部１３全体）の幅方向Ｙへの往復運動、前後方向Ｘの往復運動、Ｘ軸を中心とする旋回運動、Ｙ軸を中心とする旋回運動、Ｚ軸を中心とする旋回運動、のうちの少なくとも２つの運動をどのような組み合わせで構成してもよく、また、上記の運動のうちの少なくとも１つと上下方向Ｚへの往復運動とを組み合わせて構成してもよい。
【００４１】
・上記実施形態では、スリット状刃ブロック１４ｃの外刃２１ｃは、移動不能に設けられたが、これ以外に例えば、各外刃カセット２０ａ，２０ｂのように幅方向Ｙに往復運動させるように、また、前後方向Ｘに往復運動させるように、また、前記Ｘ軸、Ｙ軸及びＺ軸の少なくとも１つを軸とした旋回運動をさせるように構成してもよい。
【図面の簡単な説明】
【００４２】
【図１】本実施形態の電気かみそりの概略構成を説明するための斜視図。
【図２】本実施形態の電気かみそりの動作を説明するための説明図。
【図３】別例の電気かみそりの動作を説明するための説明図。
【図４】別例の電気かみそりの動作を説明するための説明図。
【図５】別例の電気かみそりの動作を説明するための説明図。
【図６】別例の電気かみそりの動作を説明するための説明図。
【図７】別例の電気かみそりの動作を説明するための説明図。
【符号の説明】
【００４３】
１１…電気かみそり、１２…把持部、１３…ヘッド部、１４ａ，１４ｂ…網目状刃ブロック、１４ｃ…スリット状刃ブロック、１５…内刃駆動手段としての第１電磁アクチュエータ、１６…第２駆動手段としての第２電磁アクチュエータ、２１ａ，２１ｂ…網目状外刃、２１ｃ…スリット状外刃、２２ａ，２２ｂ…内刃、Ｘ…前後方向、Ｙ…幅方向、Ｚ…上下方向。
【図１】
2010082204.tif 000003
【図２】
2010082204.tif 000004
【図３】
2010082204.tif 000005
【図４】
2010082204.tif 000006
【図５】
2010082204.tif 000007
【図６】
2010082204.tif 000008
【図７】
2010082204.tif 000009